(57)【要約】【課題】表示部の押下操作によって検出スイッチが押圧駆動可能な薄型の入力装置を提供すること。【解決手段】表示部１を保持する枠状の保持部材２と、互いの中央部付近を交差角度が可変な状態で回動可能に連結している連動部材３，４と、一側部５ａが連動部材３の基端部３ａを回動可能に支持し他側部５ｂが連動部材４の基端部４ａを回動可能に支持している支持部材５と、表示部１の下方領域からずれた位置に設置されたプッシュスイッチ６とを備えた入力装置であって、連動部材３の丸孔３ｆと連動部材４の長孔４ｆが保持部材２の中央部を挟んで略対称な位置関係に設定されて該保持部材２を支持している。表示部１が押下操作されると、保持部材２の下動に伴って連動部材３，４が交差角度を増大させると共に、プッシュスイッチ６が連動部材３の先端部３ｃによって押圧駆動される。【選択図】図１
2011076373.tif 000002
【特許請求の範囲】
【請求項１】
表示部を保持する枠状の保持部材と、互いの中央部付近を交差角度が可変な状態で回動可能に連結している第１連動部材および第２連動部材と、一側部が前記第１連動部材の基端部を回動可能に支持し他側部が前記第２連動部材の基端部を回動可能に支持している支持部材と、前記表示部の下方領域からずれた位置に設置された検出スイッチとを備え、
前記第１連動部材が前記保持部材と回動可能に連結された第１受け部を有していると共に、前記第２連動部材が前記保持部材と回動可能に連結された第２受け部を有しており、これら第１受け部と第２受け部が前記保持部材の中央部を挟んで略対称な位置関係に設定されていると共に、前記第１連動部材の基端部から前記第１受け部までの長さと前記第２連動部材の基端部から前記第２受け部までの長さとが略同等に設定されており、かつ、前記第１および第２連動部材の連結部分と前記第１連動部材の基端部と前記第２連動部材の基端部と前記第１受け部と前記第２受け部のうちの複数個所を、回動に加えてスライド移動を許容するリンク構造となし、前記保持部材の下動に伴って前記第１および第２連動部材が交差角度を増大させることにより、前記第１連動部材の先端部が前記検出スイッチを押圧駆動するようにしたことを特徴とする入力装置。
【請求項２】
請求項１の記載において、前記保持部材と前記第１および第２連動部材と前記支持部材とが相互に連結されている複数の連結個所のうち、前記第２連動部材の基端部と前記支持部材の他側部との連結個所と、前記第１連動部材の前記第１受け部と前記保持部材との連結個所とが、回動およびスライド移動を許容するリンク構造にしてあることを特徴とする入力装置。
【請求項３】
請求項１または２の記載において、前記支持部材が枠状に形成されており、前記支持部材の他側部近傍の外側に前記検出スイッチとしてプッシュスイッチが設置されていることを特徴とする入力装置。
【請求項４】
請求項３の記載において、前記第２連動部材の先端部に前記表示部との干渉を避けるための逃げ部が形成されていることを特徴とする入力装置。
【請求項５】
請求項１〜４のいずれか１項の記載において、前記第２連動部材が前記支持部材の外周面に沿って配置されていると共に、前記保持部材が前記第２連動部材の外周面に沿って配置されており、この保持部材の外周面に沿って前記第１連動部材が配置されていることを特徴とする入力装置。
【請求項６】
請求項５の記載において、前記支持部材と前記第１および第２連動部材と前記保持部材がいずれも金属板を折曲加工して形成されていると共に、これら各部材の連結個所が一方の突起部を他方の孔に挿通して係合させた構造になっており、かつ前記突起部がバーリング加工によって形成されていることを特徴とする入力装置。
【発明の詳細な説明】
【技術分野】
【０００１】
本発明は、昇降可能に保持されたタッチパネル等の表示部を押下操作することによって検出スイッチが押圧駆動可能な入力装置に関するものである。
【背景技術】
【０００２】
従来より、ＬＣＤの天面に指先等を接触させることによって座標入力が行えるタッチパネルを、プッシュスイッチ等の検出スイッチの上方に昇降可能または傾動可能に配置して、ユーザがタッチパネルを押し込んで下動させると、このタッチパネルによって検出スイッチが押圧駆動されてオン動作するようにした入力装置が知られている（例えば、特許文献１参照）。この種の入力装置にあっては、例えば、タッチパネルの天面上でユーザが指先を摺動させることにより図形や文字を描画できると共に、そのまま指先でタッチパネルを下方へ所定量押し込んで検出スイッチをオン動作させることにより、描画された図形や文字に対応する信号を外部装置へ出力させることができるため、操作性向上や多機能化が図りやすくなる。
【先行技術文献】
【特許文献】
【０００３】
【特許文献１】特開２００８−５３２１１５号公報
【発明の概要】
【発明が解決しようとする課題】
【０００４】
しかしながら、前述した従来の入力装置のように、タッチパネル等の表示部をプッシュスイッチ等の検出スイッチの上方に配置させていると、装置全体を薄型に構成することが困難であるという問題があった。
【０００５】
本発明は、このような従来技術の実情に鑑みてなされたもので、その目的は、表示部の押下操作によって検出スイッチが押圧駆動可能な薄型の入力装置を提供することにある。
【課題を解決するための手段】
【０００６】
上記の目的を達成するために、本発明の入力装置は、表示部を保持する枠状の保持部材と、互いの中央部付近を交差角度が可変な状態で回動可能に連結している第１連動部材および第２連動部材と、一側部が前記第１連動部材の基端部を回動可能に支持し他側部が前記第２連動部材の基端部を回動可能に支持している支持部材と、前記表示部の下方領域からずれた位置に設置された検出スイッチとを備え、前記第１連動部材が前記保持部材と回動可能に連結された第１受け部を有していると共に、前記第２連動部材が前記保持部材と回動可能に連結された第２受け部を有しており、これら第１受け部と第２受け部が前記保持部材の中央部を挟んで略対称な位置関係に設定されていると共に、前記第１連動部材の基端部から前記第１受け部までの長さと前記第２連動部材の基端部から前記第２受け部までの長さとが略同等に設定されており、かつ、前記第１および第２連動部材の連結部分と前記第１連動部材の基端部と前記第２連動部材の基端部と前記第１受け部と前記第２受け部のうちの複数個所を、回動に加えてスライド移動を許容するリンク構造となし、前記保持部材の下動に伴って前記第１および第２連動部材が交差角度を増大させることにより、前記第１連動部材の先端部が前記検出スイッチを押圧駆動するように構成した。
【０００７】
このように構成された入力装置は、第１連動部材の基端部が支持部材の一側部に支持されると共に先端部が検出スイッチに対向しており、かつ第２連動部材の基端部と略中央部が支持部材の他側部と第１連動部材の略中央部に支持されているので、表示部を保持する保持部材を第１連動部材の第１受け部と第２連動部材の第２受け部とによってバランスよく支持することができる。そして、ユーザが表示部を押し込んで下動させると、第１受け部と第２受け部が表示部（保持部材）と一体的に下動するため、第１および第２連動部材の交差角度が増大すると共に、第１連動部材の先端部が第１受け部よりも大きく下動して検出スイッチの可動部を押し込んでいき、表示部を所定ストローク押下操作した時点で、表示部の下方領域からずらした位置に設置されている検出スイッチを動作させることができる。したがって、この入力装置は、表示部の下方に検出スイッチ用の設置スペースを確保する必要がなく、かつ押下操作時に表示部を深く押し込まなくても検出スイッチを確実に動作させることができて、装置全体の薄型化が容易に促進できる。また、第１連動部材と第２連動部材が保持部材をバランスよく支持しているため、ユーザが表示部のどこを押し込んでも同じように保持部材や第１および第２連動部材を動作させて、同じような反力を生起させることができる。それゆえ、この入力装置は必要な操作力が押し込む位置（操作位置）によってばらつきにくく、操作しやすい。
【０００８】
上記の構成において、保持部材と第１および第２連動部材と支持部材とが相互に連結されている複数の連結個所のうち、第２連動部材の基端部と支持部材の他側部との連結個所と、第１連動部材の第１受け部と保持部材との連結個所とが、回動およびスライド移動を許容するリンク構造にしてあると、それ以外の連結個所を全て回動のみを許容するリンク構造にしておくことができて保持部材のガタを防止しやすくなると共に、表示部を押下操作したときに保持部材を水平姿勢を保ったまま下動させることができるため好ましい。
【０００９】
また、上記の構成において、支持部材が枠状に形成されており、この支持部材の他側部近傍の外側に検出スイッチとしてプッシュスイッチが設置されていると、簡素な構成で装置全体の薄型化が実現できるため好ましい。この場合において、第２連動部材の先端部に表示部との干渉を避けるための逃げ部が形成されていると、表示部の面積が大きなものにも対応することができると共に、第２受け部が所望の位置に設定しやすくなるため設計の自由度が高まる。なお、第１連動部材を介してプッシュスイッチを作動させるために必要な表示部に対する押下操作力は、プッシュスイッチを真上から押し込んで作動させるために必要な押下操作力よりも大きくなるので、作動力の軽いプッシュスイッチを使用した場合でも誤入力は防止しやすい。
【００１０】
また、上記の構成において、第２連動部材が支持部材の外周面に沿って配置されていると共に、保持部材が第２連動部材の外周面に沿って配置されており、この保持部材の外周面に沿って第１連動部材が配置されていると、第１および第２連動部材や保持部材をそれぞれ円滑に動作させることのできるコンパクトな入力装置が実現できるため好ましい。この場合において、支持部材と第１および第２連動部材と保持部材がいずれも金属板を折曲加工して形成されていると共に、これら各部材の連結個所が一方の突起部を他方の孔に挿通して係合させた構造になっており、かつ前記突起部がバーリング加工によって形成されていると、これら各部材を安価に形成できて連結個所の信頼性も確保しやすくなる。
【発明の効果】
【００１１】
本発明の入力装置は、表示部を保持する保持部材を第１連動部材の第１受け部と第２連動部材の第２受け部とによってバランスよく支持することができると共に、表示部を押下操作すると第１連動部材の先端部が第１受け部よりも大きく下動して、表示部の下方領域からずれた位置に設置されている検出スイッチを動作させることができる。それゆえ、この入力装置は、表示部の下方に検出スイッチ用の設置スペースを確保する必要がなく、かつ押下操作時に表示部を深く押し込まなくても検出スイッチを確実に動作させることができて、装置全体の薄型化が容易に促進できる。また、ユーザが表示部のどこを押し込んでも同じように保持部材や第１および第２連動部材を動作させて、同じような反力を生起させることができるため、この入力装置は必要な操作力が押し込む位置によってばらつきにくく操作しやすい。
【図面の簡単な説明】
【００１２】
【図１】本発明の第１実施形態例に係る入力装置の動作説明図である。
【図２】図１の入力装置を表示部を省略して示す斜視図である。
【図３】図２の入力装置を筐体やプッシュスイッチを省略して示す斜視図である。
【図４】図３の入力装置の分解斜視図である。
【図５】本発明の第２実施形態例に係る入力装置の動作説明図である。
【発明を実施するための形態】
【００１３】
以下、本発明の実施形態例について説明する。まず、本発明の第１実施形態例に係る入力装置について、図１〜図４を参照しつつ説明する。
【００１４】
これらの図に示す入力装置は、例えば携帯用通信端末等として使用されるものである。この入力装置は、タッチパネルとして動作するＬＣＤからなる表示部１と、表示部１を保持する昇降可能な矩形枠状の保持部材２と、互いの中央部付近を交差角度が可変な状態で回動可能に連結している第１連動部材３および第２連動部材４と、第１および第２連動部材３，４の各基端部３ａ，４ａを回動可能に支持している矩形枠状の支持部材５と、支持部材５の外側に隣接して配置された検出スイッチとしてのプッシュスイッチ６と、内底面に支持部材５およびプッシュスイッチ６を搭載している筐体７とによって主に構成されている。なお、保持部材２と第１および第２連動部材３，４と支持部材５はいずれも金属板を折曲加工して形成されている。
【００１５】
表示部（タッチパネル）１は保持部材２の長手方向に対向して設けられた一対の取付面２ａの下面に両面テープや接着等によって固着されている。なお、図１等においては、第１および第２連動部材３，４の動作を理解し易くするために、便宜上、表示部１が保持部材２の上面側に配設されているように示しているが、実際には、表示部１は取付面２ａの下面に固着されている。そして、表示部１は、保持部材２、第１および第２連動部材３，４、支持部材５の各部材の側板（外周面）の内側に配設されている。この表示部１は、その天面１ａ上にユーザが指先等を接触させると座標入力が行えるようになっている。また、ユーザが表示部１を下方へ押し込むと、表示部１および保持部材２が下動するのに伴って第１連動部材３と第２連動部材４の交差角度が増大し、表示部１が所定量押し込まれた時点で、第１連動部材３の先端部３ｃがプッシュスイッチ６を押圧駆動するようになっている。
【００１６】
保持部材２は長手方向に沿って延びる対向した一対の延在部２ｂを有している。取付面２ａと直交した側板からなる各延在部２ｂの外壁面と内壁面にはそれぞれ第１突起部２ｃと第２突起部２ｄが一対ずつ突設されており、各延在部２ｂの中央部には切欠き２ｅが形成されている。第１突起部２ｃと第２突起部２ｄはバーリング加工によって形成されたものであり、これら第１突起部２ｃと第２突起部２ｄの略中間に切欠き２ｅが位置している。なお、この保持部材２は第２連動部材４の外周面に沿って配置されている。
【００１７】
第１連動部材３は、高さ位置が変化しない一方側の端部である基端部３ａと、長手方向に沿って延びる側板からなる一対の延在部３ｂと、プッシュスイッチ６を押圧駆動するための他方側の端部である先端部３ｃとを有する矩形枠状に形成されている。第１連動部材３の基端部３ａには一対の丸孔３ｄが形成されており、各丸孔３ｄは支持部材５の一側部５ａの側板からなる外壁面に突設された突起部５ｃを挿通させて回動可能に係合している。第１連動部材３の各延在部３ｂには略中央部に長孔３ｅが形成されていると共に、この長孔３ｅと先端部３ｃとの間の所定位置に丸孔３ｆが形成されている。第１連動部材３は長孔３ｅを介して第２連動部材４の略中央部と回動可能かつスライド移動可能に連結されている。また、丸孔３ｆは保持部材２の第１突起部２ｃを挿通させて回動可能に係合しており、保持部材２を支持する第１受け部となっている。なお、この第１連動部材３は、矩形枠状をなした保持部材２の外周面に沿って配置されている。
【００１８】
第２連動部材４は、高さ位置が変化しない基端部４ａと、長手方向に沿って延びる側板からなる一対の延在部４ｂとを有し、両延在部４ｂの先端部どうしの間は表示部１との干渉を避けるための逃げ部４ｃとなっている。第２連動部材４の基端部４ａには一対の丸孔４ｄが形成されており、各丸孔４ｄは支持部材５の他側部５ｂの外壁面に突設された突起部５ｄに挿通されて回動可能に係合している。第２連動部材４の各延在部４ｂには、略中央部に突起部４ｅがバーリング加工によって外向きに突設されていると共に、先端部に長孔４ｆが形成されている。突起部４ｅは第１連動部材３の長孔３ｅに挿通されて回動可能かつスライド移動可能に係合している。また、長孔４ｆは保持部材２の第２突起部２ｄを挿通させて回動可能かつスライド移動可能に係合しており、保持部材２を支持する第２受け部となっている。なお、この第２連動部材４は支持部材５の外周面に沿って配置されており、延在部４ｂと延在部３ｂとの間に保持部材２の延在部２ｂが入り込んでいるが、突起部４ｅは切欠き２ｅを貫通しているため保持部材２と干渉することはない。
【００１９】
支持部材５は長手方向に沿って延びる側板からなる一対の延在部５ｅを有しており、これら延在部５ｅが一側部５ａと他側部５ｂとを繋ぐことで矩形枠状に形成されている。前述したように、支持部材５の一側部５ａには第１連動部材３の基端部３ａを回動可能に支持する突起部５ｃが外向きに突設されており、支持部材５の他側部５ｂには第２連動部材４の基端部４ａを回動可能に支持する突起部５ｄが外向きに突設されている。これらの突起部５ｃ，５ｄはバーリング加工によって形成されたものである。また、支持部材５の両側部５ａ，５ｂや各延在部５ｅには複数個所に、筐体７の内底面に固定するための取付片５ｆが水平に突設されている。この支持部材５に包囲された矩形状の空間内における上部には、表示部１の下部が入り込んだオーバーラップ状態で、表示部１は各部材の側板（延在部）間に配設されている。
【００２０】
プッシュスイッチ６は、表示部１の下方領域からずれた位置で筐体７の内底面に搭載されている。つまり、支持部材５の外側領域で他側部５ｂと隣接する位置にプッシュスイッチ６が設置してある。このプッシュスイッチ６は昇降可能な可動部６ａと図示せぬ復帰ばねと接点とを有しており、第１連動部材３の先端部３ｃが可動部６ａ上に対向配置されている。そして、第１連動部材３の先端部３ｃがプッシュスイッチ６の復帰ばねの付勢力に抗して可動部６ａを所定量押し込むと、プッシュスイッチ６がクリック感を生起してオフからオン状態へ切り替わるようになっている。
【００２１】
筐体７は合成樹脂等からなる成形品であり、上方に開口した矩形状の収納空間７ａを有している。この収納空間７ａの内底面上に支持部材５およびプッシュスイッチ６が設置されて、第１および第２連動部材３，４も収納空間７ａ内に配置される。そして、第１および第２連動部材３，４に支持された保持部材２が、表示部１の押下操作時に収納空間７ａ内へ押し込まれるようになっている。
【００２２】
このように構成された入力装置において、表示部１が押下操作されていないときには、図１（Ａ）に示すように、第１連動部材３の基端部３ａと先端部３ｃがそれぞれ支持部材５の一側部５ａ（突起部５ｃ）とプッシュスイッチ６の可動部６ａによって略同等の高さ位置に支持されているため、第１連動部材３は略水平な姿勢に保たれている。また、第２連動部材４は基端部４ａが支持部材５の他側部５ｂ（突起部５ｄ）に支持されて略中央部（突起部４ｅ）が第１連動部材３の略中央部（長孔３ｅ）に支持されているため、この第２連動部材４も略水平な姿勢に保たれている。さらに、第１連動部材３の丸孔３ｆ（第１受け部）と第２連動部材４の長孔４ｆ（第２受け部）に支持されている保持部材２も略水平な姿勢に保たれているため、表示部１の天面１ａも略水平な姿勢に保たれている。なお、第１および第２連動部材３，４が若干傾いた姿勢に支持されていてもよく、その場合でも保持部材２を略水平な姿勢に保つことはできる。
【００２３】
図１（Ａ）の状態で表示部１の天面１ａがユーザの指先によって下方へ押し込まれると、第１連動部材３が基端部３ａ（突起部５ｃ）を支点として同図の時計回りに回転するため、第２連動部材４の略中央部（突起部４ｅ）が第１連動部材３の略中央部（長孔３ｅ）に駆動され、よって第２連動部材４は基端部４ａ（突起部５ｄ）を支点として同図の反時計回りに回転する。その結果、図１（Ｂ）に示すように、第１および第２連動部材３，４の交差角度が増大していき、それに伴って第１連動部材３の丸孔３ｆと第２連動部材４の長孔４ｆが下降していくため、丸孔３ｆ（第１受け部）と長孔４ｆ（第２受け部）に支持されている保持部材２も下降していく。また、第１連動部材３の先端部３ｃがプッシュスイッチ６の復帰ばねの付勢力に抗して可動部６ａを押し込んでいくため、先端部３ｃが可動部６ａを所定量押し込んだ時点で、プッシュスイッチ６がオン動作してクリック感を生起させ、そのクリック感が第１および第２連動部材３，４や保持部材２を介してユーザの指先に伝わる。
【００２４】
したがって、この入力装置は、例えば表示部（タッチパネル）１の天面１ａ上でユーザが指先を摺動させることにより図形や文字を描画できると共に、そのまま指先で表示部１を下方へ所定量押し込んでプッシュスイッチ６をオン動作させることにより、描画された図形や文字に対応する信号を外部装置へ出力させることができる。ただし、タッチパネルとしては機能しない表示部１であっても、ユーザが表示部１を押し込んでプッシュスイッチ６をオン動作させることにより、例えば表示内容を切り替える等の操作を行うことができるため、操作性の向上が図れる。
【００２５】
なお、第１連動部材３を介してプッシュスイッチ６を作動させるために必要な表示部１に対する押下操作力は、プッシュスイッチ６を真上から押し込んで作動させるために必要な押下操作力よりも大きくなるので、作動力の軽いプッシュスイッチ６を使用した場合でも誤入力は防止しやすい。また、表示部１を押下操作してプッシュスイッチ６を押圧駆動した後に、ユーザが表示部１に対する操作力を除去すると、プッシュスイッチ６がオフ状態に戻ると共に、その復帰ばねが可動部６ａを介して第１連動部材３の先端部３ｃを元の高さ位置まで押し上げるため、第１および第２連動部材３，４や保持部材２はそれぞれ図１（Ａ）の状態に戻る。
【００２６】
以上説明したように、本実施形態例に係る入力装置は、第１連動部材３の両端部３ａ，３ｃが支持部材５の一側部５ａとプッシュスイッチ６の可動部６ａに支持されており、かつ第２連動部材４の基端部４ａと略中央部（突起部４ｅ）が支持部材５の他側部５ｂと第１連動部材３の略中央部（長孔３ｅ）に支持されているので、表示部１を保持する保持部材２を第１連動部材３の丸孔３ｆ（第１受け部）と第２連動部材４の長孔４ｆ（第２受け部）とによってバランスよく支持することができる。そして、ユーザが表示部１を押し込んで下動させると、丸孔３ｆと長孔４ｆが表示部１（保持部材２）と一体的に下動するため、第１および第２連動部材３，４の交差角度が増大すると共に、第１連動部材３の先端部３ｃが丸孔３ｆよりも大きく下動してプッシュスイッチ６の可動部６ａを押し込んでいき、表示部１を所定ストローク押下操作した時点で、表示部１の下方領域からずれた位置に設置されているプッシュスイッチ６をオン動作させることができる。したがって、この入力装置は、表示部１の下方にプッシュスイッチ６用の設置スペースを確保する必要がなく、かつ押下操作時に表示部１を深く押し込まなくてもプッシュスイッチ６を確実にオン動作させることができて、装置全体の薄型化が容易に促進できる。また、第１連動部材３と第２連動部材４が保持部材２をバランスよく支持しているため、ユーザが表示部１のどこを押し込んでも同じように保持部材２や第１および第２連動部材３，４を動作させて、同じような反力を生起させることができる。そのため、この入力装置は、必要な操作力が押し込む位置によってばらつかず操作しやすい。
【００２７】
また、本実施形態例に係る入力装置は、支持部材５が枠状に形成されており、この支持部材５に包囲された空間内における上部に表示部１の下部が位置すると共に、支持部材５の他側部５ｂ近傍の外側にプッシュスイッチ６が設置されているため、簡素な構成で装置全体の薄型化が実現できる。しかも、第２連動部材４の先端部どうしの間に表示部１との干渉を避けるための逃げ部４ｃが形成されているため、面積の大きい表示部１を用いることができると共に、長孔４ｆ（第２受け部）を所望の位置に設定することができて設計の自由度が高まっている。
【００２８】
また、本実施形態例に係る入力装置は、支持部材５の外周面に沿って第２連動部材４が配置され、この第２連動部材４の外周面に沿って保持部材２が配置され、この保持部材２の外周面に沿って第１連動部材３が配置されているため、第１および第２連動部材３，４や保持部材２をそれぞれ円滑に動作させることのできるコンパクトな構造となっている。しかも、支持部材５と第１および第２連動部材３，４と保持部材２がいずれも金属板を折曲加工して形成されていると共に、これら各部材の連結個所が一方の突起部（例えば突起部２ｃや突起部２ｄ）を他方の孔（例えば丸孔３ｆや長孔４ｆ）に挿通して係合させた構造になっており、かつ該突起部がバーリング加工によって形成されているため、これら各部材が安価に形成できて連結個所の信頼性も確保しやすくなっている。
【００２９】
なお、上記の第１実施形態例において、保持部材２と第１および第２連動部材３，４と支持部材５とが相互に連結されている複数の連結個所は、いずれも、突起部と孔（丸孔や長孔）との凹凸関係が逆であってもよい。すなわち、第１および第２連動部材３，４の突起部を保持部材２や支持部材５の丸孔や長孔に挿通して係合させたり、第１連動部材３の突起部を第２連動部材４の長孔に挿通して両者の略中央部どうしを係合させるというリンク構造であってもよい。また、突起部を孔ではなく凹段部に係合させるというリンク構造であってもよい。
【００３０】
さらに、保持部材２と第１および第２連動部材３，４と支持部材５とが相互に連結されている複数の連結個所のうち、プッシュスイッチ６を押圧駆動する際の支点となる第１連動部材３の基端部３ａと支持部材５の一側部５ａとは回動のみを許容するリンク構造にしておくことが好ましく、この場合に、それ以外の連結個所については、適宜個所が回動に加えてスライド移動を許容するリンク構造となっていればよい。
【００３１】
例えば、図５に示す第２実施形態例のように、第１連動部材３の第１受け部３ｆと保持部材２との連結個所と、第２連動部材４の基端部４ａと支持部材５の他側部５ｂとの連結個所については、回動およびスライド移動を許容するリンク構造となしておけば、それ以外の連結個所を全て回動のみを許容するリンク構造にしておくことができて保持部材２のガタが防止しやすくなると共に、表示部１を押下操作したときに保持部材２を水平姿勢を保ったまま下動させることができる。
【符号の説明】
【００３２】
１  表示部
２  保持部材
２ｃ  第１突起部
２ｄ  第２突起部
３  第１連動部材
３ａ  基端部
３ｃ  先端部
３ｅ  長孔
３ｆ  丸孔（第１受け部）
４  第２連動部材
４ａ  基端部
４ｃ  逃げ部
４ｅ  突起部
４ｆ  長孔（第２受け部）
５  支持部材
５ａ  一側部
５ｂ  他側部
５ｃ，５ｄ  突起部
６  プッシュスイッチ（検出スイッチ）
６ａ  可動部
７  筐体
【図１】
2011076373.tif 000003
【図２】
2011076373.tif 000004
【図３】
2011076373.tif 000005
【図４】
2011076373.tif 000006
【図５】
2011076373.tif 000007